(57)【要約】【課題】コルゲートチューブと保持具とを組み付ける作業の作業効率を向上可能なコルゲートチューブ保持具を提供すること。【解決手段】コルゲートチューブ２０を保持するためのコルゲートチューブ保持具１０は、コルゲートチューブ２０の外周面を周回する複数の凹部２１に係合することによってコルゲートチューブ２０を保持するように、環状の形状を有するとともにコルゲートチューブ２０の軸方向に沿って並ぶ、複数の突部１７を備える。複数の突部１７は、コルゲートチューブ２０の軸方向に沿った断面において、少なくとも１つの突部１７の先端同士の間の中点位置Ｐと、他の突部１７の先端同士の間の中点位置Ｐと、がコルゲートチューブ２０の径方向において相違するように、構成される。【選択図】図６
2020088908.tif 000002
【特許請求の範囲】
【請求項１】
コルゲートチューブを保持するためのコルゲートチューブ保持具であって、
前記コルゲートチューブの外周面を周回する複数の凹部に係合することによって前記コルゲートチューブを保持するように、環状の形状を有するとともに前記コルゲートチューブの軸方向に沿って並ぶ、複数の突部を備え、
前記複数の突部は、
前記コルゲートチューブの軸方向に沿った断面において、少なくとも１つの前記突部の先端同士の間の中点位置と、他の前記突部の先端同士の間の中点位置と、が前記コルゲートチューブの径方向において相違するように、構成される、
コルゲートチューブ保持具。
【請求項２】
請求項１に記載のコルゲートチューブ保持具であって、
前記コルゲートチューブを前記軸方向に交差する所定の挟持方向において挟むことにより、前記コルゲートチューブを収容する収容空間を画成するように構成された、一対のカバー部を有し、
前記一対のカバー部の各々は、
前記収容空間に向けて突出する複数の突条体であって、前記収容空間が画成されたときに前記複数の突部を構成することになる複数の突条体、を有し、
前記複数の突部は、
前記挟持方向において、少なくとも１つの前記突部の先端同士の間の中点位置と、他の前記突部の先端同士の間の中点位置と、が相違するように、構成される、
コルゲートチューブ保持具。
【請求項３】
請求項２に記載のコルゲートチューブ保持具において、
前記一対のカバー部の少なくとも一方は、
少なくとも一つの前記突条体の突出高さが、他の前記突条体の突出高さと異なる、ように構成された、
コルゲートチューブ保持具。
【請求項４】
請求項１〜請求項３の何れか一項に記載のコルゲートチューブ保持具において、
前記複数の突部は、
前記少なくとも１つの前記突部の先端同士の間の間隔と、前記他の前記突部の先端同士の間の間隔と、が同一であり、且つ、前記少なくとも１つの前記突部の先端同士の間の中点位置と、前記他の前記突部の先端同士の間の中点位置と、の間の前記径方向における相違量が、前記コルゲートチューブの外径の２％以上１０％以下である、ように構成される、
コルゲートチューブ保持具。
【請求項５】
電線と、前記電線が挿通されるコルゲートチューブと、請求項１〜請求項４の何れか一項に記載のコルゲートチューブ保持具と、を備える、ワイヤハーネスであって、
前記コルゲートチューブ保持具が有する前記突部が前記コルゲートチューブの外周面における凹部に係合することにより、前記コルゲートチューブの軸方向における前記コルゲートチューブの移動が規制される、
ワイヤハーネス。
【発明の詳細な説明】
【技術分野】
【０００１】
本発明は、コルゲートチューブ保持具およびワイヤハーネス、に関する。
【背景技術】
【０００２】
従来から、コルゲートチューブを保持する保持具（以下「カバー」ともいう。）が提案されている。この種の保持具は、一般に、コルゲートチューブの外周面の凹部と保持具の内壁面に設けた凸部とを係合させることにより、コルゲートチューブを保持具から外れないように保持している。
【０００３】
ところで、コルゲートチューブに外力が及んだ場合等において、例えばコルゲートチューブが縮径するように変形することで、保持具からコルゲートチューブが外れる可能性がある。このようなコルゲートチューブの外れ（以下「コルゲートチューブ抜け」という。）は、出来る限り防がれることが望ましい。
【０００４】
例えば、従来の保持具の一つは、コルゲートチューブ抜けを防ぐため、保持具の内壁面からコルゲートチューブに向かって突出する柱状突起を設け、この柱状突起をコルゲートチューブに設けられた係合孔に挿入するようになっている。この柱状突起によってコルゲートチューブの位置ズレが抑制されることで、コルゲートチューブが縮径した場合であってもコルゲートチューブ抜けが抑制されることになる（例えば、特許文献１を参照。）。
【先行技術文献】
【特許文献】
【０００５】
【特許文献１】特開２０１３−２５４５８０号公報
【発明の概要】
【発明が解決しようとする課題】
【０００６】
ところで、上述した従来の保持具では、実際にコルゲートチューブを保持具に組み付ける際、保持具の柱状突起とコルゲートチューブの係合孔とを位置合わせする必要がある。しかし、そのような位置合わせは、コルゲートチューブと保持具との組み付け作業を煩雑にし、その組み付けの作業効率を低下させる原因となり得る。
【０００７】
本発明は、上述した事情に鑑みてなされたものであり、その目的は、コルゲートチューブと保持具との組み付け作業の作業効率を向上可能なコルゲートチューブ保持具、及び、ワイヤハーネス、を提供することにある。
【課題を解決するための手段】
【０００８】
前述した目的を達成するために、本発明に係るコルゲートチューブ保持具およびワイヤハーネスは、下記［１］〜［５］を特徴としている。
［１］
コルゲートチューブを保持するためのコルゲートチューブ保持具であって、
前記コルゲートチューブの外周面を周回する複数の凹部に係合することによって前記コルゲートチューブを保持するように、環状の形状を有するとともに前記コルゲートチューブの軸方向に沿って並ぶ、複数の突部を備え、
前記複数の前記突部は、
前記コルゲートチューブの軸方向に沿った断面において、少なくとも１つの前記突部の先端同士の間の中点位置と、他の前記突部の先端同士の間の中点位置と、が前記コルゲートチューブの径方向において相違するように、構成される、
コルゲートチューブ保持具であること。
［２］
上記［１］に記載のコルゲートチューブ保持具であって、
前記コルゲートチューブを前記軸方向に交差する所定の挟持方向において挟むことにより、前記コルゲートチューブを収容する収容空間を画成するように構成された、一対のカバー部を有し、
前記一対の前記カバー部の各々は、
前記収容空間に向けて突出する複数の突条体であって、前記収容空間が画成されたときに前記複数の前記突部を構成することになる複数の突条体、を有し、
前記複数の前記突部は、
前記挟持方向において、少なくとも１つの前記突部の先端同士の間の中点位置と、他の前記突部の先端同士の間の中点位置と、が相違するように、構成される、
コルゲートチューブ保持具であること。
［３］
上記［２］に記載のコルゲートチューブ保持具において、
前記一対の前記カバー部の少なくとも一方は、
少なくとも一つの前記突条部の突出高さが、他の前記突条部の突出高さと異なる、ように構成された、
コルゲートチューブ保持具であること。
［４］
上記［１］〜上記［３］の何れか一つに記載のコルゲートチューブ保持具において、
前記複数の前記突部は、
前記少なくとも１つの前記突部の先端同士の間の間隔と、前記他の前記突部の先端同士の間の間隔と、が同一であり、且つ、前記少なくとも１つの前記突部の先端同士の間の中点位置と、前記他の前記突部の先端同士の間の中点位置と、の間の前記径方向における相違量が、前記コルゲートチューブの外径の２％以上１０％以下である、ように構成される、
コルゲートチューブ保持具であること。
［５］
電線と、前記電線が挿通されるコルゲートチューブと、上記［１］〜上記［４］の何れか一つに記載のコルゲートチューブ保持具と、を備える、ワイヤハーネスであって、
前記コルゲートチューブ保持具が有する前記突部が前記コルゲートチューブの外周面における凹部に係合することにより、前記コルゲートチューブの軸方向における前記コルゲートチューブの移動が規制される、
ワイヤハーネスであること。
【０００９】
上記［１］の構成のコルゲートチューブ保持具によれば、コルゲートチューブの軸方向に沿った断面において、複数の突部のうちの少なくとも１つの突部の先端同士の間の中点位置と、他の突部の先端同士の間の中点位置と、が径方向において相違する。換言すると、少なくとも１つの突部の中点位置と、他の突部の中点位置とが、径方向にオフセットする。これにより、コルゲートチューブが軸ズレするように変位した際、仮に「少なくとも一つの突部」からコルゲートチューブの凹部が外れても、「他の突部」からは凹部が外れ難いことになる。よって、本構成のコルゲートチューブ保持具は、従来の保持具のようにコルゲートチューブの係合孔に柱状突起を挿入する作業を要することなく、コルゲートチューブを強固に保持できる。したがって、本構成のコルゲートチューブは、コルゲートチューブとコルゲートチューブ保持具との組み付け作業の作業効率を向上可能である。
【００１０】
上記［２］の構成のコルゲートチューブ保持具によれば、コルゲートチューブ保持具が有する突条（リブ）によって突部を構成し、この突条（リブ）によってコルゲートチューブを保持する。よって、コルゲートチューブを取り囲むように突条（リブ）が配置されることで、コルゲートチューブを更に強固に保持できる。
【００１１】
上記［３］の構成のコルゲートチューブ保持具について、少なくとも一つの突条部の突出高さが、他の突条部の突出高さと異なるように、複数の突条部が構成される。これにより、上記［２］のコルゲートチューブ保持具を具体的に実現できる。
【００１２】
上記［４］の構成のコルゲートチューブ保持具について、発明者が行った実験および考察によれば、「少なくとも１つの突部の先端同士の間の間隔」と「他の前記突部の先端同士の間の間隔」とが同一であり、且つ、「少なくとも１つの突部の先端同士の間の中点位置と、他の突部の先端同士の間の中点位置と、の間の径方向における相違量」が、コルゲートチューブの外径の２％以上１０％以下である場合、上述した作業効率の向上と、コルゲートチューブの保持性能と、を両立できることが明らかになっている。
【００１３】
上記［５］の構成のワイヤハーネスによれば、コルゲートチューブの軸方向に沿った断面において、複数の突部のうちの少なくとも１つの突部の先端同士の間の中点位置と、他の突部の先端同士の間の中点位置と、が径方向において相違する。換言すると、少なくとも１つの突部の中点位置と、他の突部の中点位置とが、径方向にオフセットする。これにより、コルゲートチューブが軸ズレするように変位した際、仮に「少なくとも一つの突部」からコルゲートチューブの凹部が外れても、「他の突部」からは凹部が外れ難いことになる。よって、上述した従来の保持具を用いる場合のようにコルゲートチューブの係合孔に柱状突起を挿入する作業を要することなく、コルゲートチューブを強固に保持できる。したがって、本構成のワイヤハーネスは、コルゲートチューブとコルゲートチューブ保持具との組み付け作業の作業効率を向上可能である。
【発明の効果】
【００１４】
本発明によれば、コルゲートチューブと保持具とを組み付ける作業の作業効率を向上可能なコルゲートチューブ保持具、及び、ワイヤハーネス、を提供できる。
【００１５】
以上、本発明について簡潔に説明した。更に、以下に説明される発明を実施するための形態（以下、「実施形態」という。）を添付の図面を参照して通読することにより、本発明の詳細は更に明確化されるであろう。
【図面の簡単な説明】
【００１６】
【図１】図１は、本発明の実施形態に係るカバーを含むコネクタの斜視図である。
【図２】図２は、図１に示すコネクタの分解斜視図である。
【図３】図３は、図２に示すカバーの開状態における斜視図である。
【図４】図４は、図１に示すコネクタの組み付け過程において、ハウジングにカバーを組み付ける際の様子を説明するための斜視図である。
【図５】図５は、図１に示すカバーの周囲を拡大した図１のＡ−Ａ断面図である。
【図６】図６は、図５に示す複数の突部の周囲を拡大した図である。
【発明を実施するための形態】
【００１７】
＜実施形態＞
以下、図面を参照しながら、本発明の実施形態に係るカバー１０（コルゲートチューブ保持具）を含むコネクタ１について説明する。以下、説明の便宜上、図１に示すように、「軸方向」、「幅方向」、「上下方向」、「前」、「後」、「上」及び「下」を定義する。「軸方向」、「幅方向」及び「上下方向」は、互いに直交している。軸方向は、端子３１（図２参照）のハウジング４０の端子収容室への挿入方向、及び、コネクタ１と相手側コネクタ（図示省略）との嵌合方向、と一致しており、相手側コネクタが嵌合する嵌合方向正面側（図１において右下側）が前側とされ、その反対の嵌合方向背面側（図１において左上側）が後側とされている。
【００１８】
図１及び図２に示すように、コネクタ１は、カバー１０と、コルゲートチューブ２０と、電線３０と、ハウジング４０と、リテーナ５０と、パッキン６０と、を備える。
【００１９】
カバー１０は、電線３０が挿通されたコルゲートチューブ２０の前端部を保持するためのコルゲートチューブ保持具であり、プロテクタとも呼ばれる。図１及び図２に示すように、本例では、電線３０が挿通されたコルゲートチューブ２０の前端部を保持するカバー１０が、コネクタ１のハウジング４０に組み付けられて使用される。
【００２０】
コルゲートチューブ２０は、挿通された電線３０を保護するための外装部材である。図１及び図２に示すように、コルゲートチューブ２０は、軸方向の全域に亘って軸方向に延びる１本のスリット（図示省略）が設けられた、可撓性を有する樹脂製の円筒状部材である。コルゲートチューブ２０は、軸方向に直交する断面において、正円形状を有する。図１、図２、図４及び図５に示すように、コルゲートチューブ２０の外周面には、径方向内側に窪む円環状の複数の凹部２１が、軸方向に沿って所定の間隔（ピッチ）を空けて並ぶように設けられている。軸方向に隣接する凹部２１の間には、径方向外側に突出する円環状の突部が形成されている。
【００２１】
電線３０は、図１及び図２に示すように、本例では、複数（２本）の電線の束として構成されている。電線３０は、１本のみで構成されていてもよい。電線３０の前端部には金属製の端子（本例では、メス端子）３１が設けられている。端子３１は、ハウジング４０の端子収容室（後述）に挿入されることになる。カバー１０と、コルゲートチューブ２０と、電線３０とにより、本発明の「ワイヤハーネス」が構成される。
【００２２】
以下、先ず、カバー１０の構成について説明する。図１〜図３に示すように、樹脂製のカバー１０は、カバー１０の上側部分を構成する上カバー１０ａと、カバー１０の下側部分を構成する下カバー１０ｂとを備える。上カバー１０ａと下カバー１０ｂとは、ヒンジ部１１を介して互いに相対的に回動可能に連結されている。カバー１０は、上カバー１０ａと下カバー１０ｂとを開くことで開状態（図３参照）となり、上カバー１０ａと下カバー１０ｂとを閉じることで閉状態（図２参照）となる。
【００２３】
図３及び図４に示すように、上カバー１０ａの幅方向両側には、係止部１２ａ，１３ａが設けられ、下カバー１０ｂの幅方向両側には、係止部１２ｂ，１３ｂが設けられている。カバー１０の閉状態では、係止部１２ａ，１３ａと係止部１２ｂ，１３ｂとがそれぞれ係合することで、カバー１０の閉状態が維持されるようになっている。
【００２４】
カバー１０の閉状態では、カバー１０の内部にて、軸方向に貫通する円柱状の電線挿通孔が構成される。図３に示すように、この電線挿通孔における後側の開口端面１４から所定距離だけ前側に進入した位置の内壁面には、上カバー１０ａ側及び下カバー１０ｂ側の双方において、径方向内側に進入するリブ１５が設けられている。
【００２５】
カバー１０の閉状態において、電線挿通孔におけるリブ１５と開口端面１４との間の部分は、コルゲートチューブ２０の前端部を保持するための収容空間１６（図３〜図６参照）として機能する。即ち、収容空間１６は、上カバー１０ａ及び下カバー１０ｂを軸方向に交差する所定の挟持方向（本例では、上下方向）に重ね合わせることで画成される。収容空間１６の内壁面には、上カバー１０ａ側にて、径方向内側に突出し周方向に延びる複数（本例では、３つ）の突条体１７ａが、軸方向に沿って所定の間隔（ピッチ）を空けて並ぶように設けられ、下カバー１０ｂ側にて、径方向内側に突出し周方向に延びる複数（本例では、３つ）の突条体１７ｂが、軸方向に沿って所定の間隔（ピッチ）を空けて並ぶように設けられている。カバー１０の閉状態（即ち、収容空間１６が画成された状態）にて、複数の突条体１７ａ及び複数の突条体１７ｂが、環状の複数（本例では、３つ）の突部１７を構成するようになっている。なお、突部１７の詳細な構成については後述される。
【００２６】
軸方向に隣接する環状の突部１７の間隔（ピッチ）は、コルゲートチューブ２０の軸方向に隣接する環状の凹部２１の間隔（ピッチ）と一致する。このため、カバー１０の閉状態における収容空間１６は、突部１７と凹部２１とが係合した状態で、コルゲートチューブ２０の前端部をカバー１０から抜けないように保持可能となっている（図５参照）。
【００２７】
図３に示すように、上カバー１０ａの前端部には、カバー１０をハウジング４０に組み付けるための一対の係止部１８が設けられている。以上、カバー１０の構成について説明した。
【００２８】
次いで、ハウジング４０の構成について説明する。図２に示すように、樹脂製のハウジング４０は、軸方向に延びる端子収容部４１と、端子収容部４１の上部に設けられたロック部４２と、を備える。
【００２９】
端子収容部４１の内部には、端子３１を収容するための軸方向に貫通する端子収容室（図示省略）が形成されている。端子収容室の前端開口４３は、相手側コネクタに設けられたオス端子（図示省略）が挿入される挿入口として機能する。相手側コネクタとの嵌合状態において、端子収容室内に収容された端子３１と、前端開口４３から挿入された相手側コネクタのオス端子とが接続することで、端子３１とオス端子とが電気的に接続される。
【００３０】
端子収容部４１の下部には、リテーナ５０をハウジングに組み付けるためのリテーナ収容部４４（図４も参照）が形成されており、リテーナ収容部４４にリテーナ５０が下方から組み付けられるようになっている。樹脂製のリテーナ５０は、端子収容室内の端子３１の半挿入の検知機能、及び、端子収容室内の正規挿入位置にある端子３１の抜け防止のための所謂２重係止機能を発揮する部材である。リテーナ５０は、周知の構成を有しているので、ここではその詳細な説明を省略する。
【００３１】
端子収容部４１の外周の所定位置には、ゴム製のパッキン６０が組み付けられるようになっている（図１及び図４参照）。所定位置に組み付けられたパッキン６０は、相手側コネクタとの嵌合状態において、外部からの水の進入を防止する防水機能を発揮するようになっている。
【００３２】
ハウジング４０の後端部には、上カバー１０ａ（即ち、カバー１０）を組み付けるための一対の係止部４５が設けられている。以上、ハウジング４０の構成について説明した。
【００３３】
次いで、図４を参照しながら、コネクタ１の組み付け手順について説明する。先ず、コルゲートチューブ２０が挿通された電線３０の端子３１がハウジング４０の端子収容室の正規挿入位置に収容され、リテーナ５０がハウジング４０のリテーナ収容部４４に組み付けられ、パッキン６０がハウジング４０の端子収容部４１の外周の所定位置に組み付けられた状態を実現する。各構成部材の組み付け順序は問わない。
【００３４】
次いで、ハウジング４０の一対の係止部４５に上カバー１０ａの一対の係止部１８をそれぞれ係合させることで、ハウジング４０の後側に、開状態にあるカバー１０を組み付ける。次いで、電線３０に挿通されているコルゲートチューブ２０の前端部を上カバー１０ａの収容空間１６の上方に配置し、コルゲートチューブ２０の複数の凹部２１が上カバー１０ａの複数の突条体１７ａにそれぞれ係合するように、コルゲートチューブ２０を上カバー１０ａの収容空間１６に載置する。
【００３５】
次いで、カバー１０を閉状態とするため、ヒンジ部１１を中心に下カバー１０ｂを上カバー１０ａに近づく方向に回動させる。カバー１０が閉状態の直前の状態になるまで回動が進行すると、カバー１０の突部１７がコルゲートチューブ２０の凹部２１の底面に接触する。このように突部１７が凹部２１の底面に接触した段階以降、回動を更に進行させると、突部１７が凹部２１の底面を押し付けることで凹部２１が弾性変形するようになる。即ち、この段階以降、回動を進行させるために、突部１７の凹部２１への押し付けに要する力が必要となる。
【００３６】
回動が更に進行して、カバー１０が閉状態になると、上カバー１０ａ側の係止部１２ａ，１３ａと下カバー１０ｂ側の係止部１２ｂ，１３ｂとがそれぞれ係合することで、カバー１０の閉状態が維持される。これにより、図１に示す組み付けが完了したコネクタ１が得られる。組み付けが完了したコネクタ１（即ち、カバー１０の閉状態）では、突部１７が凹部２１の底面を押し付けた状態が維持されており、突部１７と凹部２１との係合により、コルゲートチューブ２０の前端部がカバー１０の収容空間１６から抜けないように保持されている。
【００３７】
＜カバーにおける環状の突部の特徴、及び、作用・効果＞
次いで、図５及び図６を参照しながら、本発明の実施形態に係るカバー１０の環状の突部１７の構成の詳細について説明する。閉状態にあるカバー１０では、図６に示すように、軸方向に沿った断面において、複数（本例では、３つ）の突部１７のうち、軸方向両側に位置する２つの突部１７の先端面１７ｃ同士の間の中点位置Ｐは、コルゲートチューブ２０の径方向（図６では、上下方向）において一致している。一方、３つの突部１７のうち軸方向両側に位置する２つの突部１７の先端面１７ｃ同士の間の中点位置Ｐと、軸方向中央に位置する１つの突部１７の先端面１７ｃ同士の間の中点位置Ｐとは、コルゲートチューブ２０の径方向（図６では、上下方向）において相違している。
【００３８】
具体的には、３つの突部１７の先端面１７ｃ同士の間の間隔Ｌは全て同一である一方で、軸方向両側に位置する２つの突部１７における周方向の上端位置からの突出高さｂが、軸方向中央に位置する１つの突部１７における周方向の上端位置からの突出高さａと異なる（ａ＞ｂ）。この結果、３つの突部１７のうち軸方向両側に位置する２つの突部１７の先端面１７ｃ同士の間の中点位置Ｐと、軸方向中央に位置する１つの突部１７の先端面１７ｃ同士の間の中点位置Ｐとが、コルゲートチューブ２０の径方向（図６では、上下方向）において寸法（ａ−ｂ）だけ相違している。
【００３９】
このように、少なくとも１つの突部１７の中点位置Ｐと、他の突部１７の中点位置Ｐとが、径方向にオフセットしている。これにより、コルゲートチューブ２０がカバー１０から抜ける方向（後側）に引っ張られた場合等においてコルゲートチューブ２０が径方向に変位（縮小）して「少なくとも１つの突部１７」からコルゲートチューブ２０の凹部２１が外れても、「他の突部１７」からは凹部２１が外れ難いことになる。よって、本構成のカバー１０は、従来の保持具のようにコルゲートチューブ２０の位置合わせを要することなく、コルゲートチューブ２０とカバー１０とを組み付ける作業の作業効率を向上可能である。
【００４０】
ここで、発明者が行った実験および考察などによれば、複数の突部１７が、少なくとも１つの突部１７の先端面１７ｃ同士の間の間隔Ｌと、他の突部１７の先端面１７ｃ同士の間の間隔Ｌと、が同一であり、且つ、少なくとも１つの突部１７の先端面１７ｃ同士の間の中点位置Ｐと、他の突部１７の先端面１７ｃ同士の間の中点位置Ｐと、の間の径方向における相違量が、コルゲートチューブ２０の外径の２％以上１０％以下であることで、コルゲートチューブ２０とカバー１０とを組み付ける作業の作業効率の向上と、カバー１０によるコルゲートチューブ２０の十分な保持力と、を両立できることが明らかになっている。
【００４１】
＜他の形態＞
なお、本発明は上記各実施形態に限定されることはなく、本発明の範囲内において種々の変形例を採用することができる。例えば、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【００４２】
上記実施形態では、軸方向に並ぶ３つの突部１７のうち、軸方向両側に位置する２つの突部１７の中点位置Ｐが径方向において一致している。これに対し、軸方向に並ぶ３つの突部１７の中点位置Ｐの全てが径方向において互いに異なっていてもよい。
【００４３】
更に、上記実施形態では、軸方向に並ぶ３つ突部１７の先端面１７ｃ同士の間の間隔Ｌの全てが同一となっている。これに対し、軸方向に並ぶ３つ突部１７の先端面１７ｃ同士の間の間隔Ｌが互いに異なっていてもよい。
【００４４】
ここで、上述した本発明に係るカバー（コルゲートチューブ保持具）１０及びワイヤハーネスの実施形態の特徴をそれぞれ以下［１］〜［５］に簡潔に纏めて列記する。
［１］
コルゲートチューブ（２０）を保持するためのコルゲートチューブ保持具（１０）であって、
前記コルゲートチューブ（２０）の外周面を周回する複数の凹部（２１）に係合することによって前記コルゲートチューブ（２０）を保持するように、環状の形状を有するとともに前記コルゲートチューブ（２０）の軸方向に沿って並ぶ、複数の突部（１７）を備え、
前記複数の前記突部（１７）は、
前記コルゲートチューブ（２０）の軸方向に沿った断面において、少なくとも１つの前記突部（１７）の先端同士の間の中点位置（Ｐ）と、他の前記突部（１７）の先端同士の間の中点位置（Ｐ）と、が前記コルゲートチューブ（２０）の径方向において相違するように、構成される、
コルゲートチューブ保持具（１０）。
［２］
上記［１］に記載のコルゲートチューブ保持具（１０）であって、
前記コルゲートチューブ（２０）を前記軸方向に交差する所定の挟持方向において挟むことにより、前記コルゲートチューブ（２０）を収容する収容空間（１６）を画成するように構成された、一対のカバー部（１０ａ，１０ｂ）を有し、
前記一対の前記カバー部（１０ａ，１０ｂ）の各々は、
前記収容空間（１６）に向けて突出する複数の突条体（１７ａ，１７ｂ）であって、前記収容空間（１６）が画成されたときに前記複数の前記突部（１７）を構成することになる複数の突条体（１７ａ，１７ｂ）、を有し、
前記複数の前記突部（１７）は、
前記挟持方向において、少なくとも１つの前記突部（１７）の先端同士の間の中点位置（Ｐ）と、他の前記突部（１７）の先端同士の間の中点位置（Ｐ）と、が相違するように、構成される、
コルゲートチューブ保持具（１０）。
［３］
上記［２］に記載のコルゲートチューブ保持具（１０）において、
前記一対の前記カバー部（１０ａ，１０ｂ）の少なくとも一方は、
少なくとも一つの前記突条体（１７ａ，１７ｂ）の突出高さ（ａ）が、他の前記突条体（１７ａ，１７ｂ）の突出高さ（ｂ）と異なる、ように構成された、
コルゲートチューブ保持具（１０）。
［４］
上記［１］〜上記［３］の何れか一つに記載のコルゲートチューブ保持具（１０）において、
前記複数の前記突部（１７）は、
前記少なくとも１つの前記突部（１７）の先端同士の間の間隔（Ｌ）と、前記他の前記突部（１７）の先端同士の間の間隔（Ｌ）と、が同一であり、且つ、前記少なくとも１つの前記突部（１７）の先端同士の間の中点位置（Ｐ）と、前記他の前記突部（１７）の先端同士の間の中点位置（Ｐ）と、の間の前記径方向における相違量が、前記コルゲートチューブ（２０）の外径の２％以上１０％以下である、ように構成される、
コルゲートチューブ保持具（１０）。
［５］
電線（３０）と、前記電線（３０）が挿通されるコルゲートチューブ（２０）と、上記［１］〜上記［４］の何れか一つに記載のコルゲートチューブ保持具（１０）と、を備える、ワイヤハーネスであって、
前記コルゲートチューブ保持具（１０）が有する前記突部（１７）が前記コルゲートチューブ（２０）の外周面における凹部（２１）に係合することにより、前記コルゲートチューブ（２０）の軸方向における前記コルゲートチューブ（２０）の移動が規制される、
ワイヤハーネス。
【符号の説明】
【００４５】
１０    カバー（コルゲートチューブ保持具）
１０ａ  上カバー（カバー部）
１０ｂ  下カバー（カバー部）
１６    収容空間
１７    突部
１７ａ  突条体
１７ｂ  突条体
２０    コルゲートチューブ
２１    凹部
３０    電線
Ｌ      間隔
Ｐ      中点位置
【図１】
2020088908.tif 000003
【図２】
2020088908.tif 000004
【図３】
2020088908.tif 000005
【図４】
2020088908.tif 000006
【図５】
2020088908.tif 000007
【図６】
2020088908.tif 000008